(57)【特許請求の範囲】
【請求項１】
コンテンツ再生装置であって、
広告コンテンツを記憶している広告コンテンツ記憶手段と、
複数の各チャンネルの放送番組と、各チャンネルの放送番組の放送時間帯を示す番組情報とを受信する受信手段と、
受信された各番組情報と、予めユーザによって視聴予約されたチャンネルの放送番組の放送時間帯を示す視聴予約情報とを記憶している装置情報記憶手段と
チャンネルの選択指示を受取る指示受取手段と、
受信された放送番組を再生し、モニタに表示させる第１再生手段と、
前記各番組情報と前記視聴予約情報とを参照して選択指示されたチャンネルが、放送番組が視聴予約されているチャンネルか否かを判定する第１視聴予約判定手段と、
選択指示されたチャンネルが、放送番組が視聴予約されているチャンネルの場合に、視聴予約情報を参照して、現在時刻が視聴予約時間帯の前後の一定期間内に該当するか否かを判定する第２視聴予約判定手段と、
前記一定期間内に該当すると判定された場合に、前記広告コンテンツ記憶手段から広告コンテンツを読み出し、広告コンテンツを再生し、前記モニタに表示させる第２再生手段と、
を備えることを特徴とするコンテンツ再生装置。
【請求項２】
前記装置情報記憶手段は、さらに、各チャンネルの放送番組が、有料番組か無料番組かを示す番組契約情報を記憶し、
前記装置情報記憶手段に記憶されている番組情報を参照して、選択指示されたチャンネルの放送番組が、放送されているか否かを判定する放送休止時間判定手段と、
前記番組契約情報を参照して、選択指示されたチャンネルの放送番組が、有料番組か、無料番組かを判定する番組契約判定手段と、
前記第２再生手段は、選択指示されたチャンネルが、放送されていない場合又は無料番組である場合に前記広告コンテンツを再生する
ことを特徴とする請求項1記載のコンテンツ再生装置。
【請求項３】
前記各チャンネルの放送番組の番組情報には、当該放送番組が映像放送であるか、音声放送であるか、データ放送であるかを示す放送種別情報が含まれ、
前記各放送種別情報を参照して、再生中の放送番組の放送種別を判定する放送種別判定手段を備え、
前記第２再生手段は、再生中の放送番組の放送種別が音声放送又はデータ放送である場合に前記広告コンテンツを再生する
ことを特徴とする請求項１又は２に記載のコンテンツ再生装置。
【請求項４】
広告コンテンツを記憶する広告コンテンツ記憶ステップと、
複数の各チャンネルの放送番組と、各チャンネルの放送番組の放送時間帯を示す番組情報とを受信する受信ステップと、
受信された各番組情報と、予めユーザによって視聴予約されたチャンネルの放送番組の放送時間帯を示す視聴予約情報とを記憶する装置情報記憶ステップと
チャンネルの選択指示を受取る指示受取ステップと、
受信された放送番組を再生し、モニタに表示させる第１再生ステップと、
前記各番組情報と前記視聴予約情報とを参照して選択指示されたチャンネルが、放送番組が視聴予約されているチャンネルか否かを判定する第１視聴予約判定ステップと、
選択指示されたチャンネルが、放送番組が視聴予約されているチャンネルの場合に、視聴予約情報を参照して、現在時刻が視聴予約時間帯の前後の一定期間内に該当するか否かを判定する第２視聴予約判定ステップと、
前記一定期間内に該当すると判定された場合に、前記広告コンテンツ記憶手段から広告コンテンツを読み出し、広告コンテンツを再生し、前記モニタに表示させる第２再生ステップと、
を含むことを特徴とするコンテンツ再生方法。
【請求項５】
コンテンツ再生装置にコンテンツ再生処理を実行させるプログラムを記録したコンピュータ読取可能な記録媒体であって、
前記コンテンツ再生処理は、
広告コンテンツを記憶する広告コンテンツ記憶ステップと、
複数の各チャンネルの放送番組と、各チャンネルの放送番組の放送時間帯を示す番組情報とを受信する受信ステップと、
受信された各番組情報と、予めユーザによって視聴予約されたチャンネルの放送番組の放送時間帯を示す視聴予約情報とを記憶する装置情報記憶ステップと
チャンネルの選択指示を受取る指示受取ステップと、
受信された放送番組を再生し、モニタに表示させる第１再生ステップと、
前記各番組情報と前記視聴予約情報とを参照して選択指示されたチャンネルが、放送番組が視聴予約されているチャンネルか否かを判定する第１視聴予約判定ステップと、
選択指示されたチャンネルが、放送番組が視聴予約されているチャンネルの場合に、視聴予約情報を参照して、現在時刻が視聴予約時間帯の前後の一定期間内に該当するか否かを判定する第２視聴予約判定ステップと、
前記一定期間内に該当すると判定された場合に、前記広告コンテンツ記憶手段から広告コンテンツを読み出し、広告コンテンツを再生し、前記モニタに表示させる第２再生ステップと、
を含むことを特徴とするコンピュータ読取可能な記録媒体。
【発明の詳細な説明】
【０００１】
【発明の属する技術分野】
本発明は、デジタル放送受信装置に関し、特に広告、お知らせ等のコンテンツを再生するコンテンツ再生装置及び再生方法に関する。
【０００２】
【従来の技術】
一般に、テレビ放送では、広告や宣伝を目的としたいわゆるＣＭ（コマーシャルメッセージ）は、放送番組の途中や前後の決められたタイミングで放送されている。これにより、広告主は、視聴者にＣＭを強制的に視聴させることができ、宣伝効果を高めることができる。
【０００３】
又、近年急速に普及しつつあるデジタル衛星放送やケーブルＴＶ放送においても、広告主は視聴者にＣＭを視聴させるための様々な試みを行っている。
たとえば、放送中の広告商品についてリモコン操作で資料を請求したり、購入を申し込むことが可能な「双方向広告」やCMで放送された商品についての詳しい説明をデータ放送する「CM連動型データ放送」のサービスの試みが行われている。
【０００４】
【発明が解決しようとする課題】
しかしながら、上記のような従来の方法においては、以下に示す問題が生じる。
第１に、視聴者にとっては、番組を継続して視聴したい時に、途中で番組が中断され、ＣＭが放送されるため、不快感を感じるという問題が生じる。
【０００５】
第２に、ＣＭは決ったタイミングで番組に連動して放送されるため、視聴者が席を外していても、そのままＣＭが放送されてしまい、広告主にとっては、宣伝効果が上がらないという問題が生じる。
本発明は、上記の問題点に鑑み、視聴者の邪魔にならない特定の期間に、ＣＭ等のコンテンツを再生するコンテンツ再生装置及び再生方法を提供することを第1の目的とし、視聴者に対し宣伝効果が期待できる特定のタイミングで、ＣＭ等のコンテンツを再生するコンテンツ再生装置及び表示方法を提供することを第２の目的とする。
【０００６】
【課題を解決するための手段】
上記第1の課題を解決するために、本発明は、コンテンツ再生装置であって、広告コンテンツを記憶している広告コンテンツ記憶手段と、複数の放送番組  を受信する受信手段と、受信された放送番組を再生し、モニタに表示させる第１再生手段と、放送番組再生中に広告コンテンツが再生されるべきでない放送番組を特定する番組特定手段と、放送番組が特定された放送番組でない場合に、前記広告コンテンツ記憶手段から広告コンテンツを読み出し、広告コンテンツを再生し、前記モニタに表示させる第２再生手段とを備える。
【０００７】
また、本発明は、広告コンテンツを記憶している広告コンテンツ記憶手段を備えるコンテンツ再生装置におけるコンテンツ再生方法であって、複数の放送番組を受信する受信ステップと、受信された放送番組を再生し、モニタに表示させる第１再生ステップと、放送番組再生中に広告コンテンツが再生されるべきでない放送番組を特定する番組特定ステップと、放送番組が特定された放送番組でない場合に、前記広告コンテンツ記憶手段から広告コンテンツを読み出し、広告コンテンツを再生し、前記モニタに表示させる第２再生ステップとを含むこととしてもよい。
【０００８】
また、本発明は、広告コンテンツを記憶している広告コンテンツ記憶手段を備えるコンテンツ再生装置に用いられるプログラムを記録した記録媒体であって、前記プログラムは、複数の放送番組を受信する受信ステップと、受信された放送番組を再生し、モニタに表示させる第１再生ステップと、放送番組再生中に広告コンテンツが再生されるべきでない放送番組を特定する番組特定ステップと、放送番組が特定された放送番組でない場合に、前記広告コンテンツ記憶手段から広告コンテンツを読み出し、広告コンテンツを再生し、前記モニタに表示させる第２再生ステップとを含むこととしてもよい。
【０００９】
上記第２の課題を解決するために、本発明は、コンテンツ再生装置であって、広告コンテンツを記憶している広告コンテンツ記憶手段と、複数の放送番組を受信する受信手段と、受信された放送番組を再生し、モニタに表示させる第１再生手段と、少なくとも１つ以上の特定のユーザー操作指示を記憶している登録操作指示記憶手段と、ユーザー操作指示を受取る指示受取手段と、前記登録操作指示記憶手段から前記指示を読み出し、受取られたユーザー操作指示が前記指示に該当するか否かを判定する指示判定手段と、該当すると判定された場合に、広告コンテンツを再生し、前記モニタに表示させる第２再生手段とを備える。
【００１０】
また、本発明は、広告コンテンツを記憶している広告コンテンツ記憶手段と、予め登録された少なくとも１つ以上の特定のユーザー操作指示を記憶している登録操作指示記憶手段とを備えるコンテンツ再生装置におけるコンテンツ再生方法であって、複数の放送番組を受信する受信ステップと、受信された放送番組を再生し、モニタに表示させる第１再生ステップと、ユーザー操作指示を受取る指示受取ステップと、前記登録操作指示記憶手段から前記指示を読み出し、受取られたユーザー操作指示が前記指示に該当するか否かを判定する指示判定ステップと、該当すると判定された場合に、広告コンテンツを再生し、前記モニタに表示させる第２再生ステップとを含むこととしてもよい。
【００１１】
また、本発明は、広告コンテンツを記憶している広告コンテンツ記憶手段と、予め登録された少なくとも１つ以上の特定のユーザー操作指示を記憶している登録操作指示記憶手段とを備えるコンテンツ再生装置に用いられるプログラムを記録した記録媒体であって、前記プログラムは、複数の放送番組を受信する受信ステップと、受信された放送番組を再生し、モニタに表示させる第１再生ステップと、ユーザー操作指示を受取る指示受取ステップと、前記登録操作指示記憶手段から前記指示を読み出し、受取られたユーザー操作指示が前記指示に該当するか否かを判定する指示判定ステップと、該当すると判定された場合に、広告コンテンツを再生し、前記モニタに表示させる第２再生ステップとを含むこととしてもよい。
【００１２】
【発明の実施の形態】
以下、本発明の実施の形態について、図面を用いて詳細に説明する。
（実施の形態１）
図１は、本発明の実施の形態におけるコンテンツ再生装置１００の構成を示す機能ブロック図である。
【００１３】
このコンテンツ再生装置１００は、映像や音声等で構成される番組データ（以下、「番組コンテンツ」という。）を受信し、受信した番組コンテンツを再生する装置であって、番組コンテンツとは別に、広告コンテンツを蓄積し、番組コンテンツ再生中に蓄積した広告コンテンツが再生されるべきでない番組を特定し、特定した番組に属する番組コンテンツが再生され、モニタに表示されている期間中に、広告コンテンツが再生されて上記モニタに表示されることを抑止することを特徴とするコンテンツ再生装置である。
【００１４】
ここで、「広告コンテンツ」は、商品やサービスの広告情報、イベントや新番組等のお知らせ情報、自治体情報等の地域情報、交通情報、気象情報等の生活関連情報などで構成されるデータであり、番組コンテンツ再生中に、ユーザーの意思に係らず、特定のタイミングで再生され、表示される。
具体的には、ＣＰＵ、ＲＯＭ、ＲＡＭ、ハードディスク、チューナー、復調器、フィルタ、デコーダ、USB（Universal Serial Bus）、RS-232C（Recommendation  Standard−２３２C）、モニタ、リモコン、キーボード、モデム等からなり、番組コンテンツ受信部１０１、番組コンテンツ処理部１０２、番組コンテンツ蓄積部１０３、番組コンテンツ出力制御部１０４、モニタ出力制御部１０５、テーブル記憶部１０６、広告コンテンツ受信部１０７、広告コンテンツ処理部１０８、広告コンテンツ蓄積部１０９、広告コンテンツ出力制御部１１０、ユーザーインターフェース部１１１、モニタ部１１２、操作部１１３、装置情報記憶部２０１、広告コンテンツ出力通知部２０２から構成される。ここで、モニタ部１１２と操作部１１３をコンテンツ再生装置１００の構成に含めず、別構成としてもよい。
【００１５】
上記ROM又は上記ハードディスクユニットには、コンピュータプログラムが記憶され、上記CPUが、上記コンピュータプログラムに従って動作することにより、上記装置は、その機能を達成する。
番組コンテンツ受信部１０１は、放送局から送信されるディジタル放送波を受信し、受信した放送波をディジタルデータであるトランスポートストリームに復調し、トランスポートストリームからパケットを選択することで目的とする番組コンテンツ及び番組情報を分離し、番組コンテンツ処理部１０２に出力する。
【００１６】
ここで、「番組情報」とは、チャンネル、出力された番組コンテンツが属する番組名、放送時間帯等を含む情報のことをいう。図４に番組情報の例を示す。
番組コンテンツ処理部１０２は、番組コンテンツ受信部１０１から出力された番組コンテンツを番組コンテンツ蓄積部１０３に記憶させ、又番組コンテンツ受信部１０１から出力された番組情報を装置情報記憶部２０１に記憶させる。さらに、番組コンテンツ出力制御部１０４からの指示に応じて、番組コンテンツ蓄積部１０３から番組コンテンツを読み出し、読み出した番組コンテンツをデコードし、番組コンテンツ出力制御部１０４に出力する。又、番組コンテンツ受信部１０１から出力された番組コンテンツをデコードし、番組コンテンツ出力制御部１０４に直接出力する。
【００１７】
番組コンテンツ蓄積部１０３は、番組コンテンツ受信部１０１から出力された番組コンテンツを記憶する。
番組コンテンツ出力制御部１０４は、ユーザーインターフェース部１１１から出力されるユーザーの出力操作指示に応じて、モニタ出力制御部１０５への番組コンテンツの出力を制御する。ここで、「出力操作指示」とは、電源のオン・オフ、チャンネル選択の指示、音量や音声の変更の指示等の番組コンテンツの出力に関する指示のことをいう。
【００１８】
モニタ出力制御部１０５は、番組コンテンツと広告コンテンツのモニタ部１１２への表示態様を制御する。具体的には、選択されているチャンネルにおいて表示されている番組の現在の状態（以下、「放送番組」という。）が広告コンテンツ出力通知部２０２によって、特定の状態であると判定された場合に、広告コンテンツ出力制御部１１０から出力される広告コンテンツを受け取り、テーブル記憶部１０６から放送番組と表示態様と再生オフ指示受取可否との対応関係を示すテーブルを読み出し、判定された放送番組に対応する表示態様を選択し、番組コンテンツと広告コンテンツを再生し、選択した表示態様でモニタ部１１２に表示させる。
【００１９】
ここで、「表示態様」には、大きさ、再生時間等が含まれる。ここで、「大きさ」とは、広告コンテンツがモニタ部１１２の画面に表示される比率を示す。例えば、「大きさ」が「１００」の場合には、広告コンテンツのみが表示されることを示し、「５０」の場合には、広告コンテンツがモニタ部１１２の画面の半分に表示され、番組コンテンツがモニタ部１１２の画面の残り半分に表示されることを示す。「再生時間」は、広告コンテンツが再生される時間を示す。
【００２０】
「再生オフ指示受取可否」は、広告コンテンツの再生を終了させる旨のユーザーからの指示（以下、「再生オフ指示」という。）がユーザーインターフェース部１１０から出力されたときに、再生オフ指示を受け付けるか否かについての指示を示す。
テーブル記憶部１０６は、放送番組と表示態様と再生オフ指示受取可否との対応関係を示すテーブルを記憶している。図２に、テーブルの例を示す。
【００２１】
広告コンテンツ受信部１０７は、放送局から送信されるディジタル放送波を受信し、受信したディジタル放送波をディジタルデータであるトランスポートストリームに復調し、トランスポートストリームからパケットを選択することで目的とする広告コンテンツを分離し、広告コンテンツ処理部１０８に出力する。
広告コンテンツ処理部１０８は、広告コンテンツ受信部１０７から出力された広告コンテンツを広告コンテンツ蓄積部１０９に記憶させる。さらに、広告コンテンツ出力制御部１１０からの指示に応じて、広告コンテンツ蓄積部１０９から広告コンテンツを読み出し、読み出した広告コンテンツをデコードし、広告コンテンツ出力制御部１１０に出力する。
【００２２】
広告コンテンツ蓄積部１０９は、広告コンテンツ受信部１０７から出力された広告コンテンツを記憶する。
広告コンテンツ出力制御部１１０は、広告コンテンツ出力通知部２０２から広告コンテンツの出力指示を通知されると、広告コンテンツ処理部１０８に広告コンテンツの出力を指示し、広告コンテンツ処理部１０８から広告コンテンツを受取り、受取った広告コンテンツをモニタ出力制御部１０５に出力する。
【００２３】
ユーザーインターフェース部１１１は、操作部１１３からユーザーによって入力される指示を受け取り、番組コンテンツ出力制御部１０４、モニタ出力制御部１０５に出力する。さらに、ユーザーによって操作部１１３から入力された番組視聴予約情報を装置情報記憶部２０１に記憶させる。
ここで、「番組視聴予約情報」とは、ユーザーが視聴予約したチャンネル、視聴予約日、視聴予約時間帯、視聴予約番組名等を含む情報のことをいう。図３に「番組視聴予約情報」の例を示す。
【００２４】
モニタ部１１２は、モニタ出力制御部１０５から出力された番組コンテンツ及び広告コンテンツを、モニタ出力制御部１０５によって選択された表示態様で表示する。
操作部１１３は、出力操作指示とそれ以外（例えば視聴予約指示）のユーザーからの指示（以下、操作指示という。）の入力を受け付ける。
装置情報記憶部２０１は、番組情報と番組契約情報と番組視聴予約情報を記憶する。
【００２５】
「番組契約情報」とは、各チャンネル毎に、番組コンテンツが属する番組種別（有料番組か無料番組か）と視聴契約の有無等を含む情報のことをいう。図５に「番組契約情報」の例を示す。
広告コンテンツ出力通知部２０２は、日付と時刻を計測する時間計測部２０３を含み、放送番組を監視し、放送番組に応じて広告コンテンツをモニタ出力制御部１０５に出力する指示（以下、「出力指示」という。）を広告コンテンツ出力制御部１１０に通知する。
【００２６】
具体的には、装置情報記憶部２０１から番組情報を読み出し、読み出した番組情報を参照することにより、選択されているチャンネルを特定し、以下に示す何れかの場合に出力指示を通知する。
（１）時間計測部２０３から時刻と日付（以下、時刻情報という。）を取得し、取得した時刻情報と特定されたチャンネルの番組情報を参照することにより、時刻情報の示す時刻における放送番組が番組放送休止中であること（テスト放送、カラーバー表示、「放送休止中」である旨を示す表示等がなされていること等）を検知した場合。
【００２７】
（２）特定されたチャンネルの番組契約情報を参照することにより、放送番組が有料番組であり、視聴契約されていないことを検知した場合。
（３）特定されたチャンネルの視聴予約情報を参照することにより、そのチャンネルが視聴予約中であり、時間計測部２０３から取得した時刻情報が示す時刻が、視聴予約開始時刻の直前又は視聴予約終了時刻直後の一定時間内（例えば１分以内）であることを検知した場合。
【００２８】
次に、放送番組に応じて、コンテンツ再生装置１００が行う広告コンテンツの再生を制御する処理について説明する。図６は、コンテンツ再生装置１００が行う広告コンテンツの再生を制御する処理を示すフローチャートである。以下図６のフローチャートを用いて、上記の処理について説明する。
広告コンテンツ出力通知部２０２は、装置情報記憶部２０１から番組情報と番組契約情報を読み出し、読み出した番組情報を参照することにより、選択されているチャンネルを特定し、特定したチャンネルの番組契約情報を参照することにより、放送番組が有料番組であるか否かを判定する（ステップS1301）。
【００２９】
有料番組である場合（ステップS1301:Y）、広告コンテンツ出力通知部２０２は、それが視聴契約されているか否かを判定し（ステップS1302）、視聴契約されている場合（ステップS1302:Y）、時間計測部２０３から時刻情報を取得し、取得した時刻情報と番組情報の放送時間帯を比較することにより、放送番組が番組放送休止中の時間帯に該当しているか否かを判定する（ステップS1303）。
【００３０】
ステップS1302において、視聴契約がされていない場合（ステップS1302:N）、広告コンテンツ出力通知部２０２は、広告コンテンツ出力制御部１１０に出力指示を通知し、通知を受けた広告コンテンツ出力制御部１１０は、広告コンテンツ処理部１０８から出力された広告コンテンツを受取り、受取った広告コンテンツをモニタ出力制御部１０５に出力し、モニタ出力制御部１０５は、出力された広告コンテンツを再生し、モニタ部１１２に表示させる（ステップS1307）。
【００３１】
ステップS1303において、放送番組が休止中である場合（ステップS1303:Y）、広告コンテンツ出力通知部２０２は、広告コンテンツ出力通知部２０２は、広告コンテンツ出力制御部１１０に出力指示を通知し、通知を受けた広告コンテンツ出力制御部１１０は、広告コンテンツ処理部１０８から出力された広告コンテンツを受取り、受取った広告コンテンツをモニタ出力制御部１０５に出力し、モニタ出力制御部１０５は、出力された広告コンテンツを再生し、モニタ部１１２に表示させる（ステップS1307）。
【００３２】
ステップS1303において、放送番組が休止中でない場合（ステップS1303:N）、広告コンテンツ出力通知部２０２は、番組の視聴予約がされているか否かを判定し（ステップS1304）、視聴予約されている場合（ステップS1304:Y）、時間計測部２０３から時刻情報を取得し、取得した時刻情報の示す時刻が視聴予約開始時刻の直前又は視聴予約終了時刻直後の一定時間内か否かを判定し（ステップS1306）、一定時間内である場合（ステップS1306:Y）、広告コンテンツ出力通知部２０２は、広告コンテンツ出力制御部１１０に出力指示を通知し、通知を受けた広告コンテンツ出力制御部１１０は、広告コンテンツ処理部１０８から出力された広告コンテンツを受取り、受取った広告コンテンツをモニタ出力制御部１０５に出力し、モニタ出力制御部１０５は、出力された広告コンテンツを再生し、モニタ部１１２に表示させる（ステップS1307）。
【００３３】
ステップS1306において、一定時間内でない場合（ステップS1306:N）、モニタ出力制御部１０５は、継続して番組コンテンツのみを再生し、モニタ部１１２に表示させる（ステップS1305）。
ステップS1301において、放送番組が有料番組でない場合（ステップS1301:N）、広告コンテンツ出力通知部２０２は、広告コンテンツ出力制御部１１０に出力指示を通知し、通知を受けた広告コンテンツ出力制御部１１０は、広告コンテンツ処理部１０８から出力された広告コンテンツを受取り、受取った広告コンテンツをモニタ出力制御部１０５に出力し、モニタ出力制御部１０５は、出力された広告コンテンツを再生し、モニタ部１１２に表示させる（ステップS1307）。
【００３４】
次に、図６のフローチャートに従って、広告コンテンツ出力通知部２０２により判定された放送番組に応じて、広告コンテンツ出力制御部１１０から広告コンテンツが出力された後に、モニタ出力制御部１０５が行う広告コンテンツの表示態様を制御する処理について説明する。図７は、モニタ出力制御部１０５が行う広告コンテンツの表示態様と表示時間を制御する処理を示すフローチャートである。以下図７のフローチャートを用いて、上記の処理について説明する。
【００３５】
通知された出力指示に応じて、広告コンテンツ出力制御部１１０が広告コンテンツをモニタ出力制御部１０５に出力すると（ステップS1401）、モニタ出力制御部１０５は、テーブル記憶部１０６から、放送番組と表示態様と再生オフ指示受取可否との対応関係を示すテーブルを読み出し、図６のフローチャートにおいて、広告コンテンツ出力通知部２０２により判定された放送番組に対応する表示態様を選択し（ステップS1402）、選択した表示態様で、番組コンテンツと広告コンテンツを再生し、モニタ部１１２に表示させ（ステップS1403）、ユーザーインターフェース部１１０から再生オフ指示の出力があるか否かを判定する（ステップS1404）。
【００３６】
再生オフ指示の出力を検知した場合(ステップS1404：Y)、上記放送番組に対応する再生オフ指示受取可否の示す指示が「可」であるか「不可」であるかを判定し(ステップS1405)、「可」である場合（ステップS1405:Y）、広告コンテンツの再生を終了する（ステップS1407）。
一方、「再生オフ指示受取可否」の示す指示が「不可」である場合（ステップS1405:N）、再生時間が経過したか否かを判定し（ステップS1406）、経過した場合（ステップS1406:Y）、広告コンテンツの再生を終了する（ステップS1407）。再生オフ指示の出力を検知しない場合(ステップS1404：N)、再生時間が経過したか否かを判定し（ステップS1406）、経過した場合（ステップS1406:Y）、広告コンテンツの再生を終了し（ステップS1407）、経過しない場合（ステップS1406:N）、ステップS1404に戻り、処理を繰り返す。
（実施の形態２）
次に、本発明の実施の形態２について説明する。
【００３７】
図８は、本発明の実施の形態におけるコンテンツ再生装置２００の構成を示す機能ブロック図を示す。
このコンテンツ再生装置２００は、番組コンテンツを受信し、受信した番組コンテンツを再生する装置であって、番組コンテンツとは別に広告コンテンツを蓄積し、蓄積した広告コンテンツを再生するタイミング及び表示態様を、ユーザーの操作指示に基づいて制御することを特徴とするコンテンツ再生装置である。
【００３８】
具体的には、ＣＰＵ、ＲＯＭ、ＲＡＭ、ハードディスク、チューナー、復調器、フィルタ、デコーダ、USB（Universal Serial Bus）、RS-232C（Recommendation  Standard−２３２C）、モニタ、リモコン、キーボード、モデム等からなり、番組コンテンツ受信部１０１、番組コンテンツ処理部１０２、番組コンテンツ蓄積部１０２、番組コンテンツ出力制御部１０４、モニタ出力制御部１０５、テーブル記憶部１０６、広告コンテンツ受信部１０７、広告コンテンツ処理部１０８、広告コンテンツ蓄積部１０９、広告コンテンツ出力制御部１１０、ユーザーインターフェース部１１１、モニタ部１１２、操作部１１３、登録操作指示記憶部１１４から構成される。ここで、モニタ部１１２と操作部１１３をコンテンツ再生装置２００に含めず、別構成としてもよい。
【００３９】
上記ROM又は上記ハードディスクユニットには、コンピュータプログラムが記憶され、上記CPUが、上記コンピュータプログラムに従って動作することにより、上記装置は、その機能を達成する。
なお、図１に示された実施の形態１におけるコンテンツ再生装置と同一の構成要素については同一の符号を付し、以下、相違点を中心に説明する。
【００４０】
モニタ出力制御部１０５は、番組コンテンツと広告コンテンツのモニタ部１１２への表示態様を制御する。具体的には、ユーザーインターフェース部１１１に入力されるユーザーからの指示（以下、「操作指示」という。）が、「登録操作指示」である場合に、広告コンテンツ出力制御部１１０から広告コンテンツを受け取り、テーブル記憶部１０６から登録操作指示と表示態様と再生オフ指示受取可否との対応関係を示すテーブルを読み出し、入力された登録操作指示に対応する表示態様を選択し、番組コンテンツと広告コンテンツを再生し、選択した表示態様でモニタ部１１２に表示させる。
【００４１】
ここで、「登録操作指示」とは、出力操作指示やそれ以外のユーザーが操作部１１３から入力する全ての指示の中で、登録操作指示記憶部１１４が予め記憶している少なくとも１つ以上の特定の操作指示のことであり、ユーザーが意図する指示（例えば音量変更の指示）に加えて、ユーザーインターフェース部１１１を介して、広告コンテンツ出力制御部１１０に、広告コンテンツのモニタ出力制御部１０５への出力を指示する特定の操作指示のことをいう。
【００４２】
テーブル記憶部１０６は、登録操作指示と表示態様と再生オフ指示受取可否との対応関係を示すテーブルを記憶している。図９に、登録操作指示と表示態様と再生オフ指示受取可否との対応関係を示すテーブルの例を示す。
広告コンテンツ出力制御部１１０は、ユーザーインターフェース部１１１から出力される登録操作指示に応じて、広告コンテンツ処理部１０８に広告コンテンツの出力を指示し、広告コンテンツ処理部１０８から出力された広告コンテンツを受取り、受取った広告コンテンツをモニタ出力制御部１０５に出力する。
【００４３】
ユーザーインターフェース部１１１は、操作指示入力を受取ると、登録操作指示記憶部１１４に記憶されている登録操作指示を読み出し、入力された操作指示が読み出した登録操作指示の何れかに該当するか否かを判定し、該当する場合には当該操作指示を広告コンテンツ出力制御部１１０に出力し、該当しない場合は、当該操作指示を広告コンテンツ出力制御部１１０に出力しない。
【００４４】
登録操作指示記憶部１１４は、予め設定される登録操作指示を記憶している。
次に、操作部１１３より入力される操作指示に応じて、コンテンツ再生装置２００が行う広告コンテンツの再生を制御する処理について説明する。図１０は、コンテンツ再生装置１００が行う広告コンテンツの再生を制御する処理を示すフローチャートである。以下図１０のフローチャートを用いて、上記の処理について説明する。
【００４５】
ユーザーインターフェース部１１１は、操作指示の入力を検知すると（ステップS1501）、登録操作指示記憶部１１４に記憶されている登録操作指示を読み出し、検知した操作指示が読み出した登録操作指示の何れかに該当するか否かを判定する(ステップS1502)。
該当しない場合（ステップS1502:N）、ユーザーインターフェース部１１１は、検知した操作指示を広告コンテンツ出力制御部１１０に出力せず、モニタ出力制御部１０５は、広告コンテンツを再生することなく継続して番組コンテンツのみを再生し、モニタ部１１２に表示させる(ステップS1506)。
【００４６】
該当する場合（ステップS1502:Y）、ユーザーインターフェース部１１１は、検知した操作指示を広告コンテンツ出力制御部１１０に出力し（ステップS1503）、操作指示を受取った広告コンテンツ出力制御部１１０は、広告コンテンツ処理部１０８に広告コンテンツの出力を指示し、広告コンテンツ処理部１０８から出力された広告コンテンツを受取り、受取った広告コンテンツをモニタ出力制御部１０５に出力し（ステップS1504）、モニタ出力制御部１０５は、出力された広告コンテンツを再生し、モニタ部１１２に表示させる（ステップS1505）。
【００４７】
次に、広告コンテンツ出力制御部１１０から広告コンテンツが出力された後（図９のステップS1504）、モニタ出力制御部１０５が行う広告コンテンツの表示態様を制御する処理について説明する。図１１は、モニタ出力制御部１０５が行う広告コンテンツの表示態様を制御する処理を示すフローチャートである。以下図１１のフローチャートを用いて、上記の処理について説明する。
【００４８】
広告コンテンツ出力制御部１１０が、ユーザーインターフェース部１１１から出力された登録操作指示に応じて、広告コンテンツをモニタ出力制御部１０５に出力すると（ステップS1601）、モニタ出力制御部１０５は、テーブル記憶部１０６から登録操作指示と表示態様と再生オフ指示受取可否との対応関係を示すテーブルを読み出し、出力された登録操作指示に対応する表示態様をテーブルから選択し（ステップS1602）、番組コンテンツと広告コンテンツを再生し、選択した表示態様で、モニタ部１１２に表示させ（ステップS1603）、ユーザーインターフェース部１１１から再生オフ指示の出力があるか否かを判定する（ステップS1604）。
【００４９】
再生オフ指示の出力を検知した場合(ステップS1604：Y)、上記テーブルから検知した操作指示に対応する再生オフ指示受取可否の示す指示が「可」であるか「不可」であるかを判定し(ステップS1605)、「可」である場合（ステップS1605:Y）、広告コンテンツの再生を終了する（ステップS1607）。
一方、「再生オフ指示受取可否」の示す指示が「不可」である場合（ステップS1605:N）、再生時間が経過したか否かを判定し（ステップS1606）、経過した場合（ステップS1606:Y）、広告コンテンツの再生を終了する（ステップS1607）。再生オフ指示の出力を検知しない場合(ステップS1604：N)、再生時間が経過したか否かを判定し（ステップS1606）、経過した場合（ステップS1606:Y）、広告コンテンツの再生を終了し（ステップS1607）、経過しない場合（ステップS1606:N）、ステップS1604に戻り、処理を繰り返す。
【００５０】
以上、本発明について、実施の形態１、２について説明したが、本発明はこれらの実施の形態に限られないことはもちろんである。
例えば、実施の形態１において、広告コンテンツ蓄積部１０９が記憶する広告コンテンツは、デジタル放送波に限らず、インターネットから受信したものであってもよい。又、広告コンテンツ蓄積部１０９を広告主から提供された広告コンテンツを記憶しているリムーバブルメディアとし、ユーザーはそのリム―バブルメディアを自己のコンテンツ再生装置に設置することにより、例えば、有料番組の受信料の割引を受けられることとしてもよい。
【００５１】
また、実施の形態１の図６のフローチャートにおいては、視聴予約情報、番組情報、番組契約情報に基いて、広告コンテンツの再生を抑止する放送番組を特定したが、予めユーザーによって指定された番組属性をもつ放送番組が再生されている場合に、広告コンテンツの再生を抑止することとしてもよい。
例えば、番組コンテンツ受信部１０１によって受信される番組情報に含まれる各番組名に対応付けて番組のジャンルを示すジャンル識別子を予め付与し、ユーザーによって選択されたジャンル識別子を選択ジャンル情報として装置情報記憶部２０１に記憶させ、広告コンテンツ出力通知部２０２が、放送番組のジャンルがユーザーによって予め選択されたものであると判定した場合に、広告コンテンツの表示を抑止することとしてもよい。
【００５２】
図１２は、上記の場合に、コンテンツ再生装置１００が行う処理のフローチャートを示す。以下、図１２のフローチャートを用いて、上記の処理について説明する。
広告コンテンツ出力通知部２０２は、装置情報記憶部２０１から放送番組の番組情報を読み出し、さらに時間計測部２０３から時刻情報を取得し、当該番組情報を参照することにより、取得した時刻に該当する放送時間帯の番組名を特定し（ステップS1701）、特定した番組名に対応づけられているジャンル識別子を特定する（ステップS1702）。次に、装置情報記憶部２０１から選択ジャンル情報を読み出し、特定したジャンル識別子と選択ジャンル情報に記録されているジャンル識別子を比較し、一致するか否かを判定し（ステップS1703）、一致する場合（ステップS1703:Y）には、広告コンテンツ出力制御部１１０に出力指示を通知せず、モニタ出力制御部１０５は、広告コンテンツを再生することなく継続して番組コンテンツのみを再生し、モニタ部１１２に表示させる(ステップS1704)。
【００５３】
一方、一致しない場合(ステップS1703:N)には、広告コンテンツ出力通知部２０２は、広告コンテンツ出力制御部１１０に出力指示を通知し、通知を受取った広告コンテンツ出力制御部１１０は、広告コンテンツ処理部１０８に広告コンテンツの出力を指示し、広告コンテンツ処理部１０８から広告コンテンツを受取り、受取った広告コンテンツをモニタ出力制御部１０５に出力し、モニタ出力制御部１０５は、出力された広告コンテンツを再生し、モニタ部１１２に表示させる（ステップS1705）。
【００５４】
また、番組コンテンツ受信部１０１によって受信される番組情報には、さらに放送番組が映像放送であるか、音声放送であるか、データ放送であるかを示す放送種別情報が含まれることとし、広告コンテンツ出力通知部２０２が、放送番組の放送種別情報に基いて、放送番組が映像放送であると判定した場合に、広告コンテンツの表示を抑止することとしてもよい。
【００５５】
図１３は、上記の場合に、コンテンツ再生装置１００が行う処理のフローチャートを示す。以下、図１３のフローチャートを用いて、上記の処理について説明する。
広告コンテンツ出力通知部２０２は、装置情報記憶部２０１から再生中の放送番組の番組情報を読み出し、読み出した番組情報を参照することにより、放送番組の放送種別情報を取得し（ステップS1801）、取得した放送種別情報が映像放送であるか否かを判定する（ステップS1802）。映像放送の場合（ステップS1802:Y）には、広告コンテンツ出力制御部１１０に出力指示を通知せず、モニタ出力制御部１０５は、広告コンテンツを再生することなく継続して番組コンテンツのみを再生し、モニタ部１１２に表示させる(ステップS1803)。
【００５６】
映像放送でない場合（ステップS1802:N）には、広告コンテンツ出力通知部２０２は、広告コンテンツ出力制御部１１０に出力指示を通知し、通知を受取った広告コンテンツ出力制御部１１０は、広告コンテンツ処理部１０８に広告コンテンツの出力を指示し、広告コンテンツ処理部１０８から広告コンテンツを受取り、受取った広告コンテンツをモニタ出力制御部１０５に出力し、モニタ出力制御部１０５は、出力された広告コンテンツを再生し、モニタ部１１２に表示させる（ステップS1804）。
【００５７】
また、実施の形態２においては、登録操作指示の種類は、図２の例に示す場合に限定されない。ユーザーから操作部１１２を介して入力されるすべての操作指示の種類を登録操作指示記憶部１１２が記憶していてもよい。これにより、ユーザーはコンテンツ再生装置に対し、操作を指示する毎に、広告コンテンツを視聴することになるので、広告主は、より多くの宣伝機会を得ることができる。
【００５８】
また、実施の形態２において、登録操作指示記憶部１１４が予め記憶している登録指示は、工場出荷時に記憶させたものであってもよいし、ユーザーに予め広告コンテンツが再生されてもよい操作指示の全部又は一部を選択させて、記憶させたものであってもよい。
また、実施の形態２の図１０のフローチャートにおいて、登録指示が入力された場合は、広告コンテンツが再生されるとしたが、登録指示が入力されたときに、再生されている放送番組に因って、広告コンテンツの表示を抑止することとしてもよい。
【００５９】
具体的には、図１０のフローチャートに従って、検知した操作指示が読み出した登録操作指示の何れかに該当すると判定された場合（ステップS1502:Y）、図６のフローチャートのステップS1301〜S1302に従って、そのときの放送番組が有料番組であるか否かを判定し、有料番組である場合(ステップS1301：Y)、契約されているか否かを判定し（ステップS1302）、契約されている広告コンテンツの挿入を抑止し、図６のステップS1305に従って番組コンテンツのみの再生を継続することとし、有料番組でない場合（ステップS1301:N）又は有料番組であって(ステップS1301:Y)、契約されていない場合（ステップS1302:N）、図６のステップS1307に従って広告コンテンツを表示させることとしてもよい。この場合のコンテンツ再生装置が行う処理のフローチャートを図１４に示す。
【００６０】
【発明の効果】
本発明は、コンテンツ再生装置であって、広告コンテンツを記憶している広告コンテンツ記憶手段と、複数の放送番組を受信する受信手段と、受信された放送番組を再生し、モニタに表示させる第１再生手段と、放送番組再生中に広告コンテンツが再生されるべきでない放送番組を特定する番組特定手段と、放送番組が特定された放送番組でない場合に、前記広告コンテンツ記憶手段から広告コンテンツを読み出し、広告コンテンツを再生し、前記モニタに表示させる第２再生手段とを備える。
【００６１】
また、前記番組特定手段は、再生中の放送番組の番組属性が特定の番組属性に該当するか否かを判定する番組属性判定手段を有し、前記番組特定手段は、特定の番組属性に該当すると判定された放送番組を、当該放送番組再生中に広告コンテンツが再生されるべきでない放送番組であると特定することとしてもよい。
また、本発明は、広告コンテンツを記憶している広告コンテンツ記憶手段を備えるコンテンツ再生装置におけるコンテンツ再生方法であって、複数の放送番組を受信する受信ステップと、受信された放送番組を再生し、モニタに表示させる第１再生ステップと、放送番組再生中に広告コンテンツが再生されるべきでない放送番組を特定する番組特定ステップと、放送番組が特定された放送番組でない場合に、前記広告コンテンツ記憶手段から広告コンテンツを読み出し、広告コンテンツを再生し、前記モニタに表示させる第２再生ステップとを含むこととしてもよい。
【００６２】
また、本発明は、広告コンテンツを記憶している広告コンテンツ記憶手段を備えるコンテンツ再生装置に用いられるプログラムを記録した記録媒体であって、前記プログラムは、複数の放送番組を受信する受信ステップと、受信された放送番組を再生し、モニタに表示させる第１再生ステップと、放送番組再生中に広告コンテンツが再生されるべきでない放送番組を特定する番組特定ステップと、放送番組が特定された放送番組でない場合に、前記広告コンテンツ記憶手段から広告コンテンツを読み出し、広告コンテンツを再生し、前記モニタに表示させる第２再生ステップとを含むこととしてもよい。
【００６３】
この構成により、特定の放送番組については、視聴の途中で広告コンテンツが再生されて視聴を邪魔されることがないので、視聴者は、快適に放送番組を視聴することができる。
ここで、前記番組属性判定手段は、予めユーザーによって選択された少なくとも1つ以上の番組属性を記憶している選択属性記憶手段を有することとしてもよい。
【００６４】
この構成により、視聴者は、視聴を邪魔されたくない放送番組を予め選択することができるので、視聴者は、自己が所望する放送番組を、途中で邪魔されることなく快適に視聴することができる。
ここで、前記番組属性判定手段は、放送番組が有料番組であるか無料番組であるかを示す番組種別情報と放送番組が契約されているか否かを示す契約情報を記憶している番組属性情報記憶手段を有し、前記番組属性判定手段は、前記番組種別情報と前記契約情報を参照することにより、再生中の放送番組の番組種別と契約の有無を判定し、前記番組特定手段は、有料番組で契約されていると判定された放送番組を、当該放送番組再生中に広告コンテンツが再生されるべきでない放送番組であると特定することとしてもよい。
【００６５】
この構成により、視聴者にとって重要度の高い有料番組を、途中で視聴を邪魔されることがなく快適に視聴することができる。
ここで、前記番組属性判定手段は、放送番組が映像放送であるか、データ放送であるか、音声放送であるかを示す放送種別情報を記憶している番組属性情報記憶手段を有し、前記番組属性判定手段は、前記放送種別情報を参照することにより、再生中の放送番組の放送種別を判定し、前記番組特定手段は、放送種別が映像放送であると判定された放送番組を、当該放送番組再生中に広告コンテンツが再生されるべきでない放送番組であると特定することとしてもよい。
【００６６】
この構成により、視聴者の邪魔にならないように、放送の種別に応じて広告コンテンツの再生が効果的に制御されるので、視聴者は、不快感を感じることなく放送番組と広告コンテンツを視聴することができる。
また、本発明は、コンテンツ再生装置であって、広告コンテンツを記憶している広告コンテンツ記憶手段と、複数の放送番組を受信する受信手段と、受信された放送番組を再生し、モニタに表示させる第１再生手段と、放送番組の休止時間帯を示す休止時間帯情報を記憶している休止時間帯情報記憶手段と、前記放送時間帯情報記憶手段から休止時間帯情報を読み出し、読み出した休止時間帯情報を参照することにより、現在時刻が休止時間帯に該当するか否かを判定する放送休止判定手段と、休止時間帯に該当すると判定された場合に前記広告コンテンツ記憶手段から広告コンテンツを読み出し、広告コンテンツを再生し、前記モニタに表示させる第２再生手段とを備えることとしてもよい。
【００６７】
この構成により、モニタに表示される放送番組が、視聴者にとって意味がない場合に、広告コンテンツが再生されるので、視聴者に邪魔に感じさせることなく広告コンテンツを視聴させることができる。
また、本発明は、コンテンツ再生装置であって、広告コンテンツを記憶している広告コンテンツ記憶手段と、複数の放送番組を受信する受信手段と、受信された放送番組を再生し、モニタに表示させる第１再生手段と、少なくとも１つ以上の特定のユーザー操作指示を記憶している登録操作指示記憶手段と、ユーザー操作指示を受取る指示受取手段と、前記登録操作指示記憶手段から前記指示を読み出し、受取られたユーザー操作指示が前記指示に該当するか否かを判定する指示判定手段と、該当すると判定された場合に、広告コンテンツを再生し、前記モニタに表示させる第２再生手段とを備える。
【００６８】
また、本発明は、コンテンツ再生装置であって、広告コンテンツを記憶している広告コンテンツ記憶手段と、複数の放送番組を受信する受信手段と、受信された放送番組を再生し、モニタに表示させる第１再生手段と、放送番組の視聴予約時間帯を示す視聴予約情報を記憶している視聴予約情報記憶手段と、前記視聴予約情報記憶手段から視聴予約情報を読み出し、読み出した視聴予約情報を参照することにより、現在時刻が視聴予約時間帯の前後の一定期間内に該当するか否かを判定する視聴予約判定手段と、前記一定期間内に該当すると判定された場合に、前記広告コンテンツ記憶手段から広告コンテンツを読み出し、広告コンテンツを再生し、前記モニタに表示させる第２再生手段とを備えることとしてもよい。
【００６９】
また、本発明は、広告コンテンツを記憶している広告コンテンツ記憶手段と、予め登録された少なくとも１つ以上の特定のユーザー操作指示を記憶している登録操作指示記憶手段とを備えるコンテンツ再生装置におけるコンテンツ再生方法であって、複数の放送番組を受信する受信ステップと、受信された放送番組を再生し、モニタに表示させる第１再生ステップと、ユーザー操作指示を受取る指示受取ステップと、前記登録操作指示記憶手段から前記指示を読み出し、受取られたユーザー操作指示が前記指示に該当するか否かを判定する指示判定ステップと、該当すると判定された場合に、広告コンテンツを再生し、前記モニタに表示させる第２再生ステップとを含むこととしてもよい。
【００７０】
また、本発明は広告コンテンツを記憶している広告コンテンツ記憶手段と、予め登録された少なくとも１つ以上の特定のユーザー操作指示を記憶している登録操作指示記憶手段とを備えるコンテンツ再生装置に用いられるプログラムを記録した記録媒体であって、前記プログラムは、複数の放送番組を受信する受信ステップと、受信された放送番組を再生し、モニタに表示させる第１再生ステップと、ユーザー操作指示を受取る指示受取ステップと、前記登録操作指示記憶手段から前記指示を読み出し、受取られたユーザー操作指示が前記指示に該当するか否かを判定する指示判定ステップと、該当すると判定された場合に、広告コンテンツを再生し、前記モニタに表示させる第２再生ステップと
を含むこととしてもよい。
この構成により、広告主は視聴者がその場にいる可能性の高いタイミングで、広告を再生させることができるので、広告再生による宣伝効果を高めることができる。
また、本発明は、コンテンツ再生装置であって、広告コンテンツを記憶している広告コンテンツ記憶手段と、複数の放送番組を受信する受信手段と、受信された放送番組を再生し、モニタに表示させる第１再生手段と、少なくとも１つ以上の特定のユーザー操作指示を記憶している登録操作指示記憶手段と、ユーザー操作指示を受取る指示受取手段と、前記登録操作指示記憶手段から前記指示を読み出し、受取られたユーザー操作指示が前記指示に該当するか否かを判定する指示判定手段と、該当すると判定された場合に、広告コンテンツを再生し、前記モニタに表示させる第２再生手段とを備え、前記第２再生手段はさらに、広告コンテンツを再生する際に前記指示に該当すると判定されたユーザー操作指示の内容に応じて、広告コンテンツの再生表示態様を制御する再生表示態様制御手段を有することとしてもよい。
【００７１】
この構成により、ユーザー指示の内容に応じた適切な表示態様で、広告コンテンツを表示させることができるので、視聴者が表示の仕方に対し、不快感を抱かないようにきめの細かい配慮をすることができる。
ここで、前記コンテンツ再生装置はさらに、前記第２再生手段による広告コンテンツの再生を抑止する抑止手段を備え、前記抑止手段はさらに、ユーザーからの広告コンテンツの再生を終了させる旨の終了指示を受取る終了指示受取り手段と、広告コンテンツを再生する際に前記指示に該当すると判定されたユーザー操作指示の内容に応じて、前記終了指示の受取り可否を判定する指示受取り可否判定手段とを有し、前記抑止手段は、前記終了指示の受取り可と判定された場合、広告コンテンツの再生を抑止することとしてもよい。
【００７２】
また、前記コンテンツ再生装置はさらに、前記第２再生手段による広告コンテンツの再生を抑止する抑止手段を備え、前記抑止手段はさらに、ユーザーからの広告コンテンツの再生を終了させる旨の終了指示を受取る終了指示受取り手段と、広告コンテンツを再生する際に前記指示に該当すると判定されたユーザー操作指示の内容に応じて、前記終了指示の受取り可否を判定する指示受取り可否判定手段とを有し、前記抑止手段は、前記終了指示の受取り可と判定された場合に、広告コンテンツの再生を抑止することとしてもよい。
【００７３】
この構成により、視聴者は再生された広告を視聴したくなければ、視聴を抑止することができるので、関心のない広告の視聴を避けることができる。
ここで、前記抑止手段は、再生中の放送番組が、特定の放送番組である場合に、第１再生手段によりその番組が再生されている期間、前記第２再生手段による広告コンテンツの再生を抑止することとしてもよい。
【００７４】
また、前記抑止手段は、再生中の放送番組が有料番組であるか否かを判定する番組種別判定手段と、再生中の放送番組が有料番組である場合に、契約されているか否かを判定する契約有無判定手段を有し、前記抑止手段は、再生中の放送番組が有料番組で契約されている場合に、広告コンテンツの表示を抑止する契約有無判定手段とを有することとしてもよい。
【００７５】
また、前記コンテンツ再生装置はさらに、前記第２再生手段による広告コンテンツの再生を抑止する抑止手段を備え、前記抑止手段はさらに、ユーザーからの広告コンテンツの再生を終了させる旨の終了指示を受取る終了指示受取り手段と、広告コンテンツを再生する際に前記指示に該当すると判定されたユーザー操作指示の内容に応じて、前記終了指示の受取り可否を判定する指示受取り可否判定手段とを有し、前記抑止手段は、前記終了指示の受取り可と判定された場合に、広告コンテンツの再生を抑止し、さらに再生中の放送番組が、特定の放送番組である場合に、第１再生手段によりその番組が再生されている期間、前記第２再生手段による広告コンテンツの再生を抑止することとしてもよい。
【００７６】
また、前記抑止手段は、再生中の放送番組が有料番組であるか否かを判定する番組種別判定手段と、再生中の放送番組が有料番組である場合に、契約されているか否かを判定する契約有無判定手段とを有し、前記抑止手段は、再生中の放送番組が有料番組で契約されている場合に、広告コンテンツの再生を抑止することとしてもよい。
【００７７】
この構成により、視聴者が視聴を邪魔されたくない特定の放送番組については、視聴の途中で広告が再生されることがないので、視聴者は、快適に放送番組を楽しむことができる。
【図面の簡単な説明】
【図１】本発明の実施の形態におけるコンテンツ再生装置１００の構成を示す機能ブロック図である。
【図２】放送番組と表示態様と再生オフ指示受取可否との対応関係を示すテーブルの例を示す。
【図３】「番組視聴予約情報」の例を示す。
【図４】番組情報の例を示す。
【図５】「番組契約情報」の例を示す。
【図６】コンテンツ再生装置１００が行う広告コンテンツの再生を制御する処理を示すフローチャートである。
【図７】モニタ出力制御部１０５が行う広告コンテンツの表示態様を制御する処理を示すフローチャートである。
【図８】本発明の実施の形態におけるコンテンツ再生装置２００の構成を示す機能ブロック図を示す。
【図９】登録操作指示と表示態様と再生オフ指示受取可否との対応関係を示すテーブルの例を示す。
【図１０】コンテンツ再生装置１００が行う広告コンテンツの再生を制御する処理を示すフローチャートである。
【図１１】モニタ出力制御部１０５が行う広告コンテンツの表示態様を制御する処理を示すフローチャートである。
【図１２】コンテンツ再生装置１００がユーザーによって指定された番組属性情報に基いて行う広告コンテンツの再生を制御する処理を示すフローチャートである。
【図１３】コンテンツ再生装置１００が放送種別情報に基いて行う広告コンテンツの再生を制御する処理を示すフローチャートである。
【図１４】コンテンツ再生装置２００が、登録指示を検知した場合に放送番組に因って広告コンテンツの再生を抑止する処理を示すフローチャートである。
【符号の説明】
１００    コンテンツ再生装置
１０１    番組コンテンツ受信部
１０２    番組コンテンツ処理部
１０３    番組コンテンツ蓄積部
１０４    番組コンテンツ出力制御部
１０５       モニタ出力制御部
１０６       テーブル記憶部
１０７    広告コンテンツ受信部
１０８    広告コンテンツ処理部
１０９    広告コンテンツ蓄積部
１１０    広告コンテンツ出力制御部
１１１    ユーザーインタフェース部
１１２    モニタ部
１１３    操作部
２０１    装置情報記憶部
２０２    広告コンテンツ出力通知部
２０３    時間計測部
【図１】
0004875811.tif 000002
【図２】
0004875811.tif 000003
【図３】
0004875811.tif 000004
【図４】
0004875811.tif 000005
【図５】
0004875811.tif 000006
【図６】
0004875811.tif 000007
【図７】
0004875811.tif 000008
【図８】
0004875811.tif 000009
【図９】
0004875811.tif 000010
【図１０】
0004875811.tif 000011
【図１１】
0004875811.tif 000012
【図１２】
0004875811.tif 000013
【図１３】
0004875811.tif 000014
【図１４】
0004875811.tif 000015